【事件の表示】
　特願２０１７−５１５７７０「炊飯器用の蓋体ユニット及びそれを備える炊飯器」拒絶査定不服審判事件〔平成２８年　３月２４日国際公開、ＷＯ２０１６／０４１３３８、平成２９年１０月　５日国内公表、特表２０１７−５２９１６６〕について、次のとおり審決する。
【結　論】
　本件審判の請求は、成り立たない。
【理　由】
第１　手続の経緯
　本願は、２０１５年４月７日（パリ条約による優先権主張外国庁受理２０１４年９月１９日、中華人民共和国）を国際出願日とする出願であって、その後の手続の概要は、以下のとおりである。
　平成３０年５月１４日付けで拒絶理由の通知
　平成３０年８月２２日に意見書及び手続補正書の提出
　平成３１年１月７日付けで拒絶査定
　令和元年５月１５日に拒絶査定不服審判の請求及びその請求と同時に手続補正書の提出
　令和元年６月２４日に審判請求書の請求の理由を補正する手続補正書（方式）の提出
　令和元年８月３０日に上申書の提出
　令和２年２月１８日付けで当審における拒絶理由の通知
　令和２年６月８日に意見書及び手続補正書の提出
第２　本願発明
　本願の請求項１ないし７に係る発明は、令和２年６月８日に提出された手続補正書により補正された特許請求の範囲並びに願書に最初に添付された明細書及び図面の記載によれば、特許請求の範囲の請求項１ないし７に記載された事項により特定されるものと認められるところ、本願の請求項１に係る発明（以下「本願発明」という。）は、以下のとおりのものである。
「【請求項１】
　炊飯器本体(100)と、前記炊飯器本体(100)上に設けられた蓋体ユニット(200)とから構成された炊飯器であって、
　前記炊飯器本体(100)と前記蓋体ユニット(200)とから調理室(1001)が構成されており、
　前記蓋体ユニット(200)は、
　蓋体（1）と、
　前記蓋体（1）の内側に設けられ、貫通するベントホール（221）が形成される蓋プレート（2）と、
　前記蓋体（1）における前記蓋プレート（2）に向く側に設けられる保温板（12）と、
　前記保温板（12）と前記蓋プレート（2）との間に設けられ、前記保温板（12）及び前記蓋プレート（2）と共に、前記ベントホール（221）と連通する、蒸気を回収、再利用するための収容キャビティ（201）を区画する密封ユニット（3）と、
　前記蓋体ユニット（200）に設けられ、前記収容キャビティ(201)を加熱する為に、前記収容キャビティ(201)に接して配置された発熱素子（4）と、を含み、
　前記蓋体（1）の内側には、前記蓋プレート（2）の外周縁部を収容する円弧状の退避空間が設けられ、
　前記収容キャビティ(201)内の蒸気が、前記発熱素子（4）によって加熱されることによって、前記ベントホール(221)を通って調理室(1001)に戻るように構成されており、
　前記蓋プレート（2）には、略半円形状の凸部（21）が形成され、前記凸部（21）は、前記蓋プレート（2）の外面から内面の方向に突出しており、前記凸部（21）には、略半円形状の外周に沿って、前記保温板（12）の方向に凹んだ複数の凹部（22）が形成され、前記凹部（22）は側壁と底壁とからなり、前記凹部（22）の底壁にはベントホール（221）が形成されていることを特徴とする炊飯器。」
第３　令和２年２月１８日付けで通知した拒絶の理由
　当審において、令和２年２月１８日付けで通知した拒絶の理由のうち、本願の請求項１に係る発明についての理由は、概略以下のとおりである。
１　理由１（進歩性）
　本願の請求項１に係る発明は、本願の出願前（優先日前）に日本国内又は外国において、頒布された又は電気通信回線を通じて公衆に利用可能となった引用文献１に記載された発明及び引用文献２に記載された事項に基いて、本願の出願前にその発明の属する技術の分野における通常の知識を有する者（以下「当業者」という。）が容易に発明をすることができたものであるから、特許法第２９条第２項の規定により特許を受けることができない。
２　理由２（拡大先願）
　本願の請求項１に係る発明は、その出願の日前（優先日前）の他の特許出願であって、その出願後に出願公開がされた下記の特許出願（以下「先願」という。）の願書に最初に添付された明細書、特許請求の範囲又は図面（以下「先願明細書等」という。）に記載された発明と同一であり、しかも、本願の発明者がその出願の日前（優先日前）の他の特許出願に係る上記の発明をした者と同一ではなく、また本願の出願時において、その出願人が上記他の特許出願の出願人と同一でもないので、特許法第２９条の２の規定により、特許を受けることができない。
＜引用文献等一覧＞
引用文献１：特開２００９−２８５２３１号公報
引用文献２：特開２０１３−２２３３２号公報
先願：特願２０１４−１０６６４６号（特開２０１５−２２１１１８号）
第４　理由１（進歩性）についての検討
１　引用文献
（１）引用文献１について
ア　引用文献１の記載
　当審において通知した拒絶の理由に引用された引用文献であって、本願の優先日前に頒布された引用文献１（特開２００９−２８５２３１号公報）には、「炊飯器」に関し、次の記載がある。
　なお、「・・・」は記載の省略を示し、下線は当審において付したものである（以下同様。）。
「【０００１】
　本発明は、本体内に収納した内鍋内に炊飯中に発生する結露水を貯溜する結露受け部を設け、蒸らし中及び保温中に前記結露受け部から発生する蒸気でご飯を蒸らし、保温時のごはんの乾燥を低減する炊飯器に関するものである。
【背景技術】
【０００２】
　従来から美味しいご飯を炊き上げ、保温中の乾燥を低減するために、内鍋内に蒸気を送り込む炊飯器が提案されている。
【０００３】
　このような炊飯器として、本体又は内鍋の一部に水タンク（貯水部）を備え、炊飯の開始前に前記水タンクに水を入れ、該水タンクを加熱手段で加熱することによって蒸気を発生させ、該蒸気を内鍋内の空間に供給する構成や、内鍋の上面開口部を塞ぐ内蓋の下面に皿状の露受部を設け、炊飯の進行に伴って内鍋で発生する蒸気を前記露受部に溜め、保温時に露受部を保温ヒータで加熱してその中に溜まっている水を加熱して内鍋内に蒸気として供給するものが知られている。
【０００４】
　前者の方式として、特許文献１，２，３等が知られおり、また、後者の方式として特許文献４，５等が知られている。
・・・
【０００７】
　さらに、特許文献４，５に示すものは、内鍋の上面開口部を覆う内蓋と、該内蓋の上面に設けた外蓋と、外蓋の下面に垂設され上記内蓋を挿通する支持軸と、前記内蓋の下方に位置して前記支持軸に固定した皿状の露受皿を備え、炊飯時に内鍋で発生する蒸気を露受皿に溜め、保温時に適宜蒸気化して内鍋に供給する構成である。
【０００８】
【特許文献１】特開２００３−１４４３０８号公報
【特許文献２】特開２００７−３２５６８１号公報
【特許文献３】特開２００７−３１３１３８号公報
【特許文献４】実開昭５７−１４０２０９号公報
【特許文献５】特開昭５７−２０９０１６号公報
【発明の開示】
【発明が解決しようとする課題】
・・・
【００１１】
　また、特許文献４，５に示すものは、内蓋の内鍋側中央部に取り付けられた露受皿が内蓋全体の面積に比べて極めて小さく、内蓋の下面全体が内鍋内に露出した状態となっており、また、露受皿の外周面の全周と内鍋下面との間に隙間が形成されているため、炊飯中に内蓋、露受皿とも内鍋から発生する高温蒸気により同一温度に加熱されて結露せず、該高温蒸気は内鍋の中心部側に開けた蒸気抜き孔から本体外に放出されてしまう。この結果、露受皿には結露水が溜まることはなく、保温時に内鍋内に蒸気を供給してご飯の乾燥を低減することはできないものであった。
【課題を解決するための手段】
【００１２】
　
本発明は、上記従来の課題を解決するためになされたものであり、請求項１では、本体と、該本体の上面開口部を覆う外蓋と、前記本体内に着脱自在に収納される内鍋と、該内鍋の上面開口部を覆う内蓋と、該内蓋の略中央部に設けられた内蓋蒸気通路と、前記外蓋に設けられた外蓋蒸気通路と、該外蓋蒸気通路と前記内蓋蒸気通路との間で蒸気の通過を制限する制限手段を有し、前記外蓋には内蓋を加熱する蓋加熱手段を備えた炊飯器において、前記内蓋の下面に該内蓋のほぼ全面を覆う結露受け皿を設け、該結露受け皿は前記内蓋より熱容量が小さい材料で構成され、その外周面がシールパッキンを介して前記内蓋の下面に密接し、かつ、前記結露受け皿は、外周側より前記内蓋蒸気通路側に近い位置に前記内蓋側に突出する略リング状の膨出部を有し、該膨出部にリング状に沿って複数個の蒸気流通路を設けたものである。
【００１３】
　請求項２では、前記結露受け皿の膨出部に設けられた複数個の蒸気流通路は、前記内蓋に設けられた内蓋蒸気通路と対向しない位置に設けられているものである。
【発明の効果】
【００１４】
　
上記本発明によれば、炊飯時に発生する蒸気を内蓋の下面に結露させ、結露した水を結露受け皿内に水滴として溜め、その水を蒸らしと保温中に用いて蒸気にするので、結露受け皿に炊飯前に毎回水を入れる必要がなく、手間が少なく、蒸気を利用して美味に炊飯，保温のできる炊飯器が実現できる。
【００１５】
　
また、内蓋の下面に設けられた結露受け皿は、外周側より前記内蓋蒸気通路側に近い位置に前記内蓋側に突出する略リング状の膨出部を有し、該膨出部にリング状に沿って複数個の蒸気流通路を設けているので、結露受け皿に溜まった結露水は略リング状の膨出部に沿って結露受け皿の全面に広がり、また、蒸気流通路から内鍋に噴出する蒸気もリング状に沿って内鍋内に噴出するため、内鍋の全体に均一に供給され、内鍋全体を蒸気で充満させることができ、ご飯の乾燥を防ぎ、美味に保温することができる。
【００１６】
　
さらに、結露受け皿の膨出部に蒸気流通路を設けているので、結露受け皿に溜まった結露水は、ご飯を装うために外蓋を開けても蒸気流通路から内鍋内に滴下したり、本体を濡らすことがなく、再度外蓋を閉じれば内鍋の内部を蒸気で加湿してご飯の乾燥を抑えることに有効に使用することができる。
「【００１９】
　図１は、本発明に係る炊飯器の全体の縦断面図、図２は、同縦断面図で炊飯中の蒸気の流れを示す図である。図３は、同縦断面図で保温中の蒸気の流れを示す図である。図４は、同蓋部の中央縦断面図である、図５は、同蓋部の内部構造を示す一部破断斜視図である。図６は、同蓋部を上面から見た分解斜視図である。また、図７は、同蓋部を左側から見た分解斜視図である。
【００２０】
　図において、
ジャー炊飯器の本体１は、内側に上面が開口した保護枠１１が設けられ、保護枠１１内には内鍋３が着脱自在に収納されている。
【００２１】
　内鍋３は、有底筒状であり、その上端部は、本体１から着脱操作がしやすいように、略水平に折り曲げられている。
【００２２】
　保護枠１１の外側底面部と外側側面部には、内鍋３の底面部を誘導加熱する底面加熱コイルと、側面部を誘導加熱する側面加熱コイルからなる加熱手段１２が設けられている。
【００２３】
　
本体１の上面開口部には、該上面開口部を覆う外蓋２が開閉自在に取り付けられており、該外蓋２の下面には、内鍋３の上面開口部を塞ぐステンレス板よりなる内蓋４がシールパッキン４ｅを介して取り付けられている。なお、内蓋４は、外蓋２に一体に組み込まれていてもよく、又図７に示すように、外周面の上下に着脱部材４ａ，４ｂを設けて外蓋２の下面受け部（図示せず）に着脱自在に取り付けてもよい。
【００２４】
　
内蓋４の下面には、該内蓋４のほぼ全面を覆うように結露受け皿５が着脱自在に取り付けられている。該結露受け皿５は、アルミ板よりなり、上面及び下面にフッ素樹脂をコーティングした皿部５ａと、皿部５ａの外周の立ち上げ壁５ｂに嵌め込まれた樹脂製の枠体５ｃ及び枠体５ｃの内周壁面に嵌め込まれシールパッキン５ｄとで構成されており、シールパッキン５ｄは、枠体５ｃの内周壁面より突出した先端部を皿部５ａの中心方向に彎曲させて内蓋４の下面に密着させている。従って、内蓋４の下面と結露受け皿５との間には、隙間６が形成されている。また、シールパッキン５ｄの彎曲部には、外蓋２を開けたときに内蓋４と皿部５ａから滴下する結露水を受ける水溜め部５ｅが形成されている。
【００２５】
　なお、前記したシールパッキン５ｄは、必ずしも枠体５ｃの内周壁面に嵌め込まれる必要はなく、他の方法で固定してもよく、要は皿部５ａの立ち上げ壁５ｂの内壁側に位置していて外蓋２を開けたときに皿部５ａから滴下する結露水を受けることができればよい。
【００２６】
　結露受け皿５の着脱構造は、図５，図６，図７に示すように、内蓋４の外周近傍の上部に上受け具４ｃ、下部に下受け具４ｄを設け、結露受け皿５の枠体５ｃの上部にバネ５ｆによって上方に付勢される上引掛け具５ｇ、下部に下引掛け部５ｈを設け、結露受け皿５の下引掛け部５ｈを内蓋４の下受け具４ｄにはめ込んだ後、上引掛け具５ｇをバネ５ｆに抗して下に押し下げて内蓋４の上受け具４ｃにはめ込み、バネ５ｆにより上に戻して上受け具４ｃから外れないようにする。
【００２７】
　また、結露受け皿５は、上記したようにアルミ板で構成されていて、ステンレス板で構成される内蓋４に比べて材料の比熱，重量，厚さ，熱容量が小さく、温まりやすくなっている。
【００２８】
　また、
結露受け皿５は、半径方向の略中間位置に内蓋４側に突出する膨出部５ｉが周方向に沿って連続して設けられ、その上面に同じく周方向に沿って小穴からなる複数個の蒸気流通路５ｊが設けられている。
【００２９】
　７は、内蓋４に設けられた内蓋蒸気通路で、結露受け皿５の蒸気流通路５ｊと対向しない位置で、かつ、蒸気流通路５ｊの全体の開口面積より小さくなるように構成されている。
【００３０】
　また、内蓋蒸気通路７は、外蓋２に設けられた外蓋蒸気通路８に繋がっており、その経路の間には制限手段９が設けられ、この制限手段９によって内鍋３から結露受け皿５，内蓋蒸気通路７を通して外蓋蒸気通路８に出る蒸気の通過が制限される。
【００３１】
　制限手段９は機械的に通路を開閉するものであっても良いし、通路を塞ぐ球などを用いて、球の自重と通過する蒸気の圧力で蒸気の通過を制限するものであっても良い。なお、図では、小穴と、この小穴を塞ぐ球の構造を示している。
【００３２】
　
外蓋２には蓋加熱手段１０が設けられており、内蓋４を加熱するとともに、内蓋４を介して結露受け皿５も加熱するものである。
【００３３】
　１３は、内鍋３の底面の温度を検知する温度センサ、１４は制御回路で、本体１内の下部空間に配置されており、温度センサ１３からの温度情報に基づいて加熱手段１２，蓋加熱手段１０の通電状態を制御する。
【００３４】
　本実施例は以上の構成よりなり、次にその動作を説明する。
【００３５】
　使用者が内鍋３に適量の米と水を入れ、
外蓋２を閉めると、内鍋３の上部を内蓋４が塞ぎ、密閉した空間となる。
【００３６】
　その後、使用者が炊飯操作をすると、炊飯が開始され、加熱手段１２に通電されて内鍋３が加熱される。ただし、この時、蓋加熱手段１０には通電されていない。
【００３７】
　内鍋３の内部が６０℃を越えるころから、湯気（低温の蒸気）が発生し、内鍋３の内周面に触れてその温度差によって結露する。結露によって結露受け皿５の内鍋３との対向面は熱をもらうことになるので、結露受け皿５の温度は内鍋３内部の湯の温度に近い状態で上昇していく。
【００３８】
　このとき、内蓋４は、結露受け皿５によりほぼ全面が覆われており、湯気（低温の蒸気）が触れないことと、皿部５ａの枠体５ｃが樹脂で構成されていることにより、結露受け皿５からの放射熱は受けるものの、結露受け皿５からの熱伝導が少なく、結露受け皿５よりも低い温度で推移する。
【００３９】
　やがて、
内鍋３内が沸騰すると、蒸気（１００℃）が発生して圧力が高まり、結露受け皿５の蒸気流通路５ｊから内蓋４と結露受け皿５で構成される隙間６に蒸気が流入する。
【００４０】
　尚、この時、おかゆ等が炊かれて前記蒸気流通路５ｊがおねば等で塞がれたり蒸気の流通が悪くなった場合には、内鍋３内の圧力がさらに上昇すると、シールパッキン５ｄの水溜め部５ｅが圧力の逃げる方向に変形してその先端部が内蓋４の下面から離れ、その間隙から図４の矢印イのように内鍋３内の蒸気が隙間６，内蓋蒸気通路７側に流れる。
【００４１】
　さらに、
この蒸気は、図２に示すように、制限手段９が開放されていることにより、内蓋蒸気通路７，制限手段９，外蓋蒸気通路８を経て外部へと放出されるが、内蓋蒸気通路７より結露受け皿５の蒸気流通路５ｊの開口面積が大きいので、内鍋３の内部と結露受け皿５と内蓋４の間隙の圧力はほぼ等しく、結露受け皿５と内蓋４の間の隙間６に蒸気が充満することになる。
【００４２】
　加えて、
結露受け皿５の蒸気流通路５ｊは、内蓋蒸気通路７と対向しない位置にあるので、直行的に蒸気が内蓋蒸気通路７から出ることがなく、結露受け皿５と内蓋４の隙間６に蒸気が充満することになる。この充満した蒸気は、結露受け皿５に比べて温度が低く、温まりにくい内蓋４の結露受け皿５の対向面に結露し、水滴化して結露受け皿５の上に溜まる。
【００４３】
　
内蓋４は、温まりにくく、かつ、蓋加熱手段１０は加熱動作をしていないので、内蓋４に触れた蒸気は放熱され、内蓋４に継続的に結露して水滴化し、結露受け皿５の上に溜まる。
【００４４】
　やがて、
蒸らしに移行すると、蓋加熱手段１０に通電されて内蓋４が加熱され、内蓋４の下面から滴下して結露受け皿５に溜まった水滴が加熱され蒸気となる。
【００４５】
　
この蒸気は、図３に示すように制限手段９の働き（閉塞）によって、外蓋蒸気通路８から外部に出ることができないので、蒸気圧によって結露受け皿５の蒸気流通路５ｊから内鍋３内の全体に均一に供給され、内鍋３の内部を蒸気で充満させることになる。これによって、内鍋３内の全体を十分に蒸らし、ご飯を美味に仕上ることができる。
【００４６】
　
保温中においても、同様に蓋加熱手段１０により発生した蒸気が制限手段９の働きにより外気に逃げることがなく、結露受け皿５の蒸気流通路５ｊから内鍋３内の全体に均一に供給され、内鍋３の内部を蒸気で加湿し、ご飯の乾燥をおさえながら保温ができる。
【００４７】
　なお、上記した炊飯から保温までの工程における加熱手段１２と蓋加熱手段１０の通電状態の制御は、内鍋３の温度を検知する温度センサ１３と、該温度センサ１３からの温度情報を入力する制御回路１４によって行われる。
【００４８】
　一方、
ご飯を装うために、外蓋２を開けた場合には、結露受け皿５に内蓋４側に突出する膨出部５ｉが設けられ、その上面に複数個の蒸気流通路５ｊが設けられていることと、それまで内蓋４の下面に密接していた結露受け皿５のシールパッキン５ｄに水溜め部５ｅ（彎曲部）が形成されているため、皿部５ａから滴下する結露水は水溜め部５ｅに溜り、蒸気流通路５ｊから内鍋３内に滴下したり、本体１等を濡らすことがない。そして、外蓋２を閉じた後は、結露受け皿５に溜まった結露水により内鍋３の内部を蒸気で加湿してご飯の乾燥をおさえることに有効に使用することができる。
【００４９】
　なお、炊飯器を使用し終わった後に結露受け皿５を清掃する場合には、内蓋４の下面から結露受け皿５を取り外して洗う。結露受け皿５の取り外しは、取り付け時と逆で、結露受け皿５の上部の上引掛け具５ｇをバネ５ｆの付勢力に抗して下に押し下げ、内蓋４の上受け具４ｃから外す。その後、結露受け皿５を幾分上に持ち上げて下引掛け部５ｈを内蓋４の下受け具４ｄから外せばよい。
【００５０】
　この時も皿部５ａの上面及び下面にフッ素樹脂がコーティングされているため、皿部５ａに結露水が染みとなってこびり付いたり、おねばがこびり付いたりするこがなく、きれいに洗うことができる。
【００５１】
　上記したように、
本実施例によれば、炊飯時に発生する蒸気を内蓋４の下面に結露させ、結露した水を結露受け皿５内に水滴として溜め、その水を蒸らしと保温中に用いて蒸気にするので、従来のように、結露受け皿５に炊飯前に毎回水を入れる必要がなく、手間が少なく、蒸気を利用して美味に炊飯，保温のできる炊飯器が実現することができる。
【００５２】
　また、
内蓋４の下面に設けられた結露受け皿５は、外周側より内蓋４の内蓋蒸気通路７側に近い位置に内蓋４側に突出する略リング状の膨出部５ｉを有し、該膨出部５ｉにリング状に沿って複数個の蒸気流通路５ｊを設けているので、結露受け皿５に溜まった結露水は略リング状の膨出部５ｉに沿って結露受け皿５の全面に広がり、また、蒸気流通路５ｊから内鍋３に噴出する蒸気もリング状に沿って噴出するため、内鍋３内の全体に均一に供給され、内鍋３全体を蒸気で充満させることができ、ご飯の乾燥を防ぎ、美味に保温することができる。
【００５３】
　さらに、
結露受け皿５の膨出部５ｉに蒸気流通路５ｊを設けているので、結露受け皿５に溜まった結露水は、ご飯を装うために外蓋２を開けても蒸気流通路５ｊから内鍋３内に滴下したり、本体１を濡らすことがなく、再度外蓋２を閉じれば内鍋３の内部を蒸気で加湿してご飯の乾燥を抑えることに有効に使用することができる。
「
」
イ　上記アから認められること
（ア）上記ア（特に、段落００１９及び００２３並びに図１〜７の記載）によれば、引用文献１には、本体１と、前記本体１上に設けられた外蓋２及び該外蓋２の下面に取り付けられた内蓋４を含む蓋部からなる蓋のユニットとから構成された炊飯器が記載されていることが認められる。
　ここで、外蓋２の下面に取り付けられた内蓋４を含む蓋部は図４〜７に記載されており、また、この図４〜７の蓋部の記載と図１〜３の記載を合わせてみると、前記蓋のユニットは、外蓋２と蓋部からなることが看取できる。
（イ）上記ア（特に、段落００２０及び００３５並びに図１〜３の記載）によれば、炊飯器は、本体１の保護枠体１１内に内鍋３が着脱自在に収納され、前記外蓋２を閉めると、前記内鍋３の上部を前記内蓋４が塞ぎ、密閉した空間が構成されることが認められる。
（ウ）上記（ア）によれば、蓋のユニットは、内蓋４が取り付けられた外蓋２を含むことが認められる。
（エ）上記ア（特に、段落００１２、００１５、００２４及び００２８並びに図１〜７の記載）によれば、蓋のユニットは、内蓋４の下面に取り付けられ、小穴からなる蒸気流通路５ｊが形成される結露受け皿５を含むことが認められる。
（オ）上記（エ）によると、結露受け皿２１が内蓋４の下面に取り付けられるから、内蓋４は外蓋２に対して、結露受け皿５に向く側に設けられるものといえ、また、上記アの段落００２３には、内蓋４がステンレス板よりなることが記載されていることを合わせてみると、蓋のユニットは、内蓋４が取り付けられた外蓋２における結露受け皿５に向く側に設けられるステンレス板よりなる前記内蓋４を含むことが認められる。
（カ）上記ア（特に、段落００２４、００２８及び００３５〜００４８並びに図１〜７の記載）によれば、蓋のユニットは、内蓋４と結露受け皿５との間に設けられ、前記内蓋４と前記結露受け皿５と共に、蒸気流通路５ｊから蒸気が流入し、結露水が溜まり、前記結露水が加熱されて発生した蒸気を、前記蒸気流通路５ｊから前記内鍋３の前記密閉した空間内に供給するための隙間６を形成する枠体５ｃ及びシールパッキン５ｄを含むことが認められる。
（キ）上記ア（特に、段落００１２及び００３２並びに図１〜３の記載）によれば、蓋のユニットは、外蓋２に設けられ、内蓋４を加熱するとともに、前記内蓋４を介して前記結露受け皿５も加熱する蓋加熱手段１０を含むことが認められる。
（ク）上記ア（特に、段落００１２〜００１６、００２４、００２８、００３２及び００３５〜００４６並びに図１〜７の記載）によれば、炊飯器は、隙間６内の蒸気が、蓋加熱手段１０によって加熱されることによって、蒸気流通路５ｊを通って内鍋３の密閉した空間に供給されるように構成されることが認められる。
（ケ）上記ア（特に、段落００１５、００１６、００２８、００４８及び００５２並びに図１〜７の記載）によれば、炊飯器において、結露受け皿５には、前記内蓋４の方向に突出した略リング状の膨出部５ｉが形成され、前記略リング状の膨出部５ｉに沿って複数の前記蒸気流通路５ｊが形成されていることが認められる。
ウ　引用発明
　上記ア及びイを総合すると、引用文献１には、次の事項からなる発明（以下「引用発明」という。）が記載されていると認める。
「本体１と、前記本体１上に設けられた外蓋２及び該外蓋２の下面に取り付けられた内蓋４を含む蓋部からなる蓋のユニットとから構成された炊飯器であって、
　前記本体１の保護枠体１１内に内鍋３が着脱自在に収納され、前記外蓋２を閉めると、前記内鍋３の上部を前記内蓋４が塞ぎ、密閉した空間が構成されており、
　前記蓋のユニットは、
　前記内蓋４が取り付けられた前記外蓋２と、
　前記内蓋４の下面に取り付けられ、小穴からなる蒸気流通路５ｊが形成される結露受け皿５と、
　前記内蓋４が取り付けられた前記外蓋２における前記結露受け皿５に向く側に設けられるステンレス板よりなる前記内蓋４と、
　前記内蓋４と前記結露受け皿５との間に設けられ、前記内蓋４と前記結露受け皿５と共に、前記蒸気流通路５ｊから蒸気が流入し、結露水が溜まり、前記結露水が加熱されて発生した蒸気を、前記蒸気流通路５ｊから前記内鍋３の前記密閉した空間内に供給するための隙間６を形成する枠体５ｃ及びシールパッキン５ｄと、
　前記外蓋２に設けられ、前記内蓋４を加熱すると共に、前記内蓋４を介して前記結露受け皿５も加熱する蓋加熱手段１０と、を含み、
　前記隙間６内の蒸気が、前記蓋加熱手段１０によって加熱されることによって、前記蒸気流通路５ｊを通って前記内鍋３の前記密閉した空間に供給されるように構成されており、
　前記結露受け皿５には、前記内蓋４の方向に突出した略リング状の膨出部５ｉが形成され、前記略リング状の膨出部５ｉに沿って複数の前記蒸気流通路５ｊが形成されている炊飯器。」
（２）引用文献２について
ア　引用文献２の記載
　当審において通知した拒絶の理由に引用された引用文献であって、本願の優先日前に頒布された刊行物である引用文献２（特開２０１３−２２３３２号公報）には、「炊飯器」に関し、次の記載がある。
「【００１３】
　図１において、炊飯器の本体１は、内側に上面が開口した保護枠１２が設けられ、保護枠１２内には内釜２が着脱自在に収納されている。保護枠１２は、底の中心に後述の鍋底温度センサー２０を取付ける穴の開いた有底の耐熱樹脂製の容器を用いたり、または側面に略筒状の真空容器を用いて断熱性を向上するものである。
【００１４】
　内釜２は、上面が開口した有底筒状であり、その上端部は本体１から着脱操作がしやすいように外向きに略水平に折り曲げられ、本体１の上面の上枠２３に載置されている。
【００１５】
　保護枠１２の外側底部には内釜２の底面部を誘導加熱する加熱手段４が設けられ、保護枠１２と本体１との間の後面側空間部には制御部５が配置され、該制御部５の働きによって加熱手段４を制御する。
【００１６】
　外蓋３は、外蓋３の内面を構成する蓋内面部材３ａ（図３）と外蓋３の側面外観を構成する蓋外面部材３ｂ（図２）と外蓋３の上面外観を構成する蓋外面部材カバー３ｃ（図２）で構成されている。操作部３９が外蓋３の上面の蓋外面部材カバー３ｃに設けられている。蓋内面部材３ａには、内釜２の上面開口部を覆う内蓋６が外しつまみ６ａ（図３）により簡単に取外せるように着脱自在に取付けられ、内蓋６の下面周縁部に取付けられたシールパッキン７を内釜２の上端全周に当接して内釜２と内蓋６とで構成される空間を密閉状態に保持している。
【００１７】
　内蓋６の略中央部には内釜２と内蓋６とで構成される前記密閉空間に連通する調圧弁８が設けられており、調圧弁８を閉じると、該内釜２内を所定の圧力（本実施例では１.３気圧）に調整しながら蒸気を外蓋３に設けられた蒸気通路９を経て該外蓋３に着脱自在に取付けた蒸気口キャップ１８を経て、排気口１８ａより本体１の外に排出する。調圧弁８を開くと、該内釜２内と外気とは排気口１８ａ（図２）を経て連通状態となり内釜２内には圧力が加わらない。
【００１８】
　また、本体１にはヒンジ部２１を設け、蓋内面部材３ａの一方には、外蓋３を本体１と開閉自在に軸支する回転軸２２が設けられ、回転軸２２と対向する側には本体１に設けたフック受け部１７（図９）と係止して外蓋３を開かないようにする略コ字状のフックレバー１５がフック軸１６を支点として回転自在に軸支されている。」
「
【図１】
」
イ　上記アから認められること
（ア）上記アの図３の記載によれば、内蓋６の箇所に「オートスチーマー」と記載されており、図１の記載を合わせてみると、内蓋６の内釜２側には、水分を溜めて、発生した蒸気を内釜２と内蓋６とで構成される密閉状態に保持された空間に供給するためのプレート（以下「蒸気供給用のプレート」という。）を有することが認められる。
（イ）上記アの図３の記載によれば、前記蒸気供給用のプレートは内蓋６の内釜２側のほぼ全面に位置しており、そして、内蓋６が取り付けられた外蓋３の内側には、前記内蓋６の前記蒸気供給用のプレートの外周縁部を収容する円弧状の退避空間が設けられることが認められる。
　ここで、円弧状の退避空間については、図３において、矢印を追加して示したとおり、外蓋３の左右の内側面に存在することが看取できる。
（ウ）上記アの図１及び図３の記載、並びに、前記蒸気供給用のプレートが水分を溜めて、発生した蒸気を内釜２と内蓋６とで構成される密閉状態に保持された空間に供給するためのものであることを合わせてみると、前記蒸気供給用のプレートには、略半円形状の凸部が形成され、前記凸部は、前記蒸気供給用のプレートの外面から内釜２の方向に突出しており、前記凸部には、略半円形状の外周に沿って、前記外蓋３の方向に凹んだ複数の凹部が形成されていることが認められる。
　ここで、略半円形状の凸部については、図３において、矢印を追加して示したとおり、内蓋６の蒸気供給用のプレートに形成されていることが看取できる。
（エ）上記アの図１の記載によると、前記蒸気供給用のプレートには外蓋３の方向に凹んだ断面が半円の凹部が形成され、前記凹部の頂点には連通する部分が形成されていることが看取され、上記アの図３における外蓋３の方向に凹んだ複数の凹部の記載を合わせてみると、外蓋３の方向に凹んだ複数の凹部は、略半球体形状であり、前記凹部の頂点には蒸気孔が形成されていることが認められる。
ウ　引用文献２の技術事項１
　上記ア及びイを総合すると、引用文献２には、次の事項（以下「引用文献２の技術事項１」という。）が記載されているものと認める。
「炊飯器において、内蓋６が取り付けられた外蓋３の内側には、前記内蓋６の内釜２側のほぼ全面に位置する蒸気孔が形成された蒸気供給用のプレートの外周縁部を収容する円弧状の退避空間が設けられること」
エ　引用文献２の技術事項２
　上記ア及びイを総合すると、引用文献２には、次の事項（以下「引用文献２の技術事項２」という。）が記載されているものと認める。
「炊飯器において、内蓋６が有する蒸気供給用のプレートには、略半円形状の凸部が形成され、前記凸部は、前記蒸気供給用のプレートの外面から内釜２の方向に突出しており、前記凸部には、略半円形状の外周に沿って、前記外蓋３の方向に凹んだ複数の凹部が形成され、前記凹部は略半球体形状であり、前記凹部の頂点には蒸気孔が形成されていること」
２　対比
　本願発明と引用発明とを、その機能、構造又は技術的意義を考慮して対比する。
・後者における「本体１」は、前者における「炊飯器本体(100)」に相当し、同様に、「外蓋２及び該外蓋２の下面に取り付けられた内蓋４を含む蓋部からなる蓋のユニット」は「蓋体ユニット(200)」に、「密閉した空間」は「調理室(1001)」に、「前記内蓋４が取り付けられた前記外蓋２」は「蓋体（1）」に、「小穴からなる蒸気流通路５ｊ」は「貫通するベントホール（221）」に、それぞれ相当する。
・後者の「前記本体１の保護枠体１１内に内鍋３が着脱自在に収納され、前記外蓋２を閉めると、前記内鍋３の上部を前記内蓋４が塞ぎ、密閉した空間が構成されており」との態様は、本体１と閉められた蓋のユニットにより内鍋３内に密閉した空間が構成されるから、前者の「前記炊飯器本体(100)と前記蓋体ユニット(200)とから調理室(1001)が構成されており」との態様に相当する。
・後者の「前記内蓋４の下面に取り付けられ、小穴からなる蒸気流通路５ｊが形成される結露受け皿５」は、結露受け皿５が内蓋４が取り付けられた外蓋２の内側に設けられたものといえるから、前者の「前記蓋体（1）の内側に設けられ、貫通するベントホール（221）が形成される蓋プレート（2）」に相当する。
・後者の「前記内蓋４が取り付けられた前記外蓋２における前記結露受け皿５に向く側に設けられるステンレス板よりなる前記内蓋４」は、外蓋２に設けられた蓋加熱手段１０により加熱され、隙間６内の結露水を加熱する機能を有するから、前者の「前記蓋体（1）における前記蓋プレート（2）に向く側に設けられる保温板（12）」に相当する。
・後者の「前記蒸気流通路５ｊから蒸気が流入し、結露水が溜まり、前記結露水が加熱されて発生した蒸気を、前記蒸気流通路５ｊから前記内鍋３の前記密閉した空間内に供給するための隙間６」は、蒸気流通路５ｊと連通し、蒸気を回収、再利用するものといえるから、前者の「前記ベントホール（221）と連通する、蒸気を回収、再利用するための収容キャビティ（201）」に相当する。
　そして、後者の「前記内蓋４と前記結露受け皿５との間に設けられ、前記内蓋４と前記結露受け皿５と共に、前記蒸気流通路５ｊから蒸気が流入し、結露水が溜まり、前記結露水が加熱されて発生した蒸気を、前記蒸気流通路５ｊから前記内鍋３の前記密閉した空間内に供給するための隙間６を形成する枠体５ｃ及びシールパッキン５ｄ」は、前者の「前記保温板（12）と前記蓋プレート（2）との間に設けられ、前記保温板（12）及び前記蓋プレート（2）と共に、前記ベントホール（221）と連通する、蒸気を回収、再利用するための収容キャビティ（201）を区画する密封ユニット（3）」に相当する。
・後者の「前記外蓋２に設けられ、前記内蓋４を加熱すると共に、前記内蓋４を介して前記結露受け皿５も加熱する蓋加熱手段１０」は、外蓋２が蓋のユニットに含まれており、蓋のユニットに設けられたものといえ、また、隙間６を構成する内蓋４を加熱するものであり、隙間６に接して配置されたものといえるから、前者の「前記蓋体ユニット（200）に設けられ、前記収容キャビティ(201)を加熱する為に、前記収容キャビティ(201)に接して配置された発熱素子（4）」に相当する。
・後者の「前記隙間６内の蒸気が、前記蓋加熱手段１０によって加熱されることによって、前記蒸気流通路５ｊを通って前記内鍋３の前記密閉した空間に供給されるように構成されており」との態様は、前者の「前記収容キャビティ(201)内の蒸気が、前記発熱素子（4）によって加熱されることによって、前記ベントホール(221)を通って調理室(1001)に戻るように構成されており」との態様に相当する。
・後者の「前記結露受け皿５には、前記内蓋４の方向に突出した略リング状の膨出部５ｉが形成され、前記略リング状の膨出部５ｉに沿って複数の前記蒸気流通路５ｊが形成されている」態様は、前者の「前記蓋プレート（2）には、略半円形状の凸部（21）が形成され、前記凸部（21）は、前記蓋プレート（2）の外面から内面の方向に突出しており、前記凸部（21）には、略半円形状の外周に沿って、前記保温板（12）の方向に凹んだ複数の凹部（22）が形成され、前記凹部（22）は側壁と底壁とからなり、前記凹部（22）の底壁にはベントホール（221）が形成されている」態様に、「前記蓋プレートには、前記保温板の方向に凹んだ凹部が形成され、前記凹部にはベントホールが形成されている」という限りにおいて、一致する。
　したがって、両者の間に次の一致点及び相違点が認められる。
［一致点］
「炊飯器本体と、前記炊飯器本体上に設けられた蓋体ユニットとから構成された炊飯器であって、
　前記炊飯器本体と前記蓋体ユニットとから調理室が構成されており、
　前記蓋体ユニットは、
　蓋体と、
　前記蓋体の内側に設けられ、貫通するベントホールが形成される蓋プレートと、
　前記蓋体における前記蓋プレートに向く側に設けられる保温板と、
　前記保温板と前記蓋プレートとの間に設けられ、前記保温板及び前記蓋プレートと共に、前記ベントホールと連通する、蒸気を回収、再利用するための収容キャビティを区画する密封ユニットと、
　前記蓋体ユニットに設けられ、前記収容キャビティを加熱する為に、前記収容キャビティに接して配置された発熱素子と、を含み、
　前記収容キャビティ内の蒸気が、前記発熱素子によって加熱されることによって、前記ベントホールを通って調理室に戻るように構成されており、
　前記蓋プレートには、前記保温板の方向に凹んだ凹部が形成され、前記凹部にはベントホールが形成されている炊飯器。」
［相違点１］
　本願発明では、「前記蓋体（1）の内側には、前記蓋プレート（2）の外周縁部を収容する円弧状の退避空間が設けられ」るのに対して、引用発明では、内蓋４が取り付けられた外蓋２の内側には、そのような円弧状の退避空間が設けられているか不明である点。
［相違点２］
　「前記蓋プレートには、前記保温板の方向に凹んだ凹部が形成され、前記凹部にはベントホールが形成されている」ことに関し、本願発明では、「前記蓋プレート（2）には、略半円形状の凸部（21）が形成され、前記凸部（21）は、前記蓋プレート（2）の外面から内面の方向に突出しており、前記凸部（21）には、略半円形状の外周に沿って、前記保温板（12）の方向に凹んだ複数の凹部（22）が形成され、前記凹部（22）は側壁と底壁とからなり、前記凹部（22）の底壁にはベントホール（221）が形成されている」のに対して、引用発明では、「前記結露受け皿５には、前記内蓋４の方向に突出した略リング状の膨出部５ｉが形成され、前記略リング状の膨出部５ｉに沿って複数の前記蒸気流通路５ｊが形成されている」ところ、略半円形状の凸部が形成されておらず、また、当該凸部に、略半円形状の外周に沿って、保温板の方向に凹んだ複数の凹部が形成されていない点。
３　判断
（１）相違点の検討
ア　相違点１について
　引用文献２記載の技術事項１の「前記内蓋６の内釜２側のほぼ全面に位置する蒸気孔が形成された蒸気供給用のプレートの外周縁部を収容する円弧状の退避空間」は、本願発明の「前記蓋プレート（2）の外周縁部を収容する円弧状の退避空間」に相当するから、引用文献２記載の技術事項１は、上記相違点１に係る本願発明の構成を示すものといえる。
　そして、引用文献２記載の技術事項１と、引用発明とは、炊飯器という技術分野において共通し、外蓋に内蓋が取り付けられる構造において共通するから、引用発明に引用文献２記載の技術事項１を適用して、内蓋４が取り付けられた外蓋２（蓋体）の内側には、結露受け皿５（蓋プレート）の外周縁部を収容する円弧状の退避空間が設けられるようにし、上記相違点１に係る本願発明の構成とすることは、当業者にとって格別困難ではない。
イ　相違点２について
　引用文献２記載の技術事項２の「前記凹部は略半球体形状であり、前記凹部の頂点には蒸気孔が形成されている」態様は、本願発明の「前記凹部（22）は側壁と底壁とからなり、前記凹部（22）の底壁にはベントホール（221）が形成されている」態様に相当するから、引用文献２記載の技術事項２は、上記相違点２に係る本願発明の構成を示すものといえる。
　そして、引用文献２記載の技術事項２と、引用発明とは、炊飯器という技術分野において共通し、蓋体の内側に設けられ、貫通するベントホールが形成される蓋プレートを含む点においても共通することから、引用発明において、蓋プレートの構成として、引用文献２記載の技術事項２を適用し、上記相違点２に係る本願発明の構成とすることは、当業者にとって格別困難ではない。
４　効果について
　そして、本願発明は、全体としてみても、引用発明、引用文献２記載の技術事項１及び引用文献２記載の技術事項２から予測される以上の格別な効果を奏するものではない。
５　請求人の主張について
　請求人は、令和２年６月８日に提出された意見書において、次の主張をする。
「３−２．対比
　引用文献１の結露受け皿５における、膨出部５i（凹部）に対する蒸気流通路５ｊ（凸部）の凹凸形状（上記参考図１左側）と、本願の蓋プレート（2）の凸部（21）に対する凹部（22）の凹凸形状つまりベントホール形状（上記参考図１右側）とは、凹凸方向が反対です。上記参考図１右側に示す本願のベントホール形状は、蒸気が内鍋から収容キャビティ（201）に入る時に凝縮し、蒸気が収容キャビティ（201）から内鍋に入る時に、蒸気温度を低下させないことに役立ちます。それは、各凹部（22）が、人の口のようなものであり、口を大きく開けて呼気すると、吐き出した気体が熱いものである一方、口を狭くすると、吐き出した気体が涼しいものであるからです。また引用文献１の凹凸方向が本願発明の方向と反対であるので、引用文献１は、補給蒸気が内鍋に戻ると、蒸気の温度が更に下がり、炊飯、蒸し飯に不利となります。
　また、本願発明の「蓋体（1）の内側に、蓋プレート（2）の外周縁部を収容する円弧状の退避空間が設けられている」点はいずれの引用文献等にも開示されておりません。
引用文献２（Ｄ２）には、
相違点（1）
「引用文献２の図１及び３の記載によると、炊飯器の内蓋６（保温板）に「オートスチーマー」と表示され、その表示の周辺に略半円形状の外周に沿って、外面の方向に凹んだ複数の凹部が形成され、凹部は側壁と底壁とからなり、凹部の奥に蒸気が通る穴が形成されていることが理解でき」という審査官殿の観点に同意できません。
まず、引用文献2には、「凹部の奥に蒸気が通る穴が形成されている」ことが開示されておらず、これは審査官殿の主観的な理解です。また、「オートスチーマー」が下記の参考図２の矢印が指す開口部分により近く、下記の参考図２の矢印が指す開口部分から出た蒸気を指します。審査官がこのように考えるのは、本願の技術案を読んだ上に先入観により結論を得たからです。
・・・
相違点（2）
引用文献２では、下記参考図３上図に示すように、外蓋３における、回転軸２２付近の内側面が「平坦」であり、本願のような「円弧状の退避空間」に相当するものは開示も示唆もされておりません。
　これに対して本願発明の蓋体（1）の内側には、下記参考図３下図に示すように、蓋プレート（2）の外周縁部を収容する円弧状の退避空間が設けられております。蓋体ユニット（200）が開状態に位置したとき余分な水が流れ落ちても、この水は円弧状の退避空間の下端側の中央に溜まり、あちこちに流れることがなく、洗浄し易くなります。
・・・
　補正後の本願請求項１の効果は、各引用文献の奏する効果の総和を超えるものであります。総合的に勘案すると、引用文献１と、他の引用文献等から本願の構成を想到することは、当業者にとって技術的困難性を伴うものと思料致します。」（３頁４５行〜７頁末行）という主張をする。
　しかしながら、引用文献２には、上記１（２）の検討において、引用文献２記載の技術事項２として示したとおり、蓋プレートには、外蓋３の方向に凹んだ複数の凹部が形成され、前記凹部は略半球体形状であり、前記凹部の頂点には蒸気孔が形成されていることが記載されているものと認められ、複数の凹部の蒸気孔から、蒸気を内釜と内蓋とで構成される密閉状態に保持された空間（調理室）に供給するものといえる。
　そして、引用発明に引用文献２記載の技術事項２を適用したものにおいては、本願発明の蓋プレートと同様の構成を有することから、「補給蒸気が内鍋に戻ると、蒸気の温度が更に下がり、炊飯、蒸し飯に不利」となるとはいえない。
　また、本願発明において、「円弧状の退避空間」が、外蓋２における、回転軸付近の内側面に形成されたものであることは特定されておらず、上記１（２）イ（イ）で述べたところの外蓋２の左右の内側面に形成された「円弧状の退避空間」を除外するものとはいえない。
　したがって、請求人の上記主張は採用することができない。
６　まとめ
　したがって、本願発明は、引用発明、引用文献２記載の技術事項１及び引用文献２記載の技術事項２に基いて、当業者が容易に発明をすることができたものであり、特許法第２９条第２項の規定により特許を受けることができない。
第５　理由２（拡大先願）についての検討
１　先願について
（１）先願明細書等の記載
　当審において通知した拒絶の理由に引用された先願（特願２０１４−１０６６４６号（特開２０１５−２２１１１８号））の先願明細書等には、「炊飯器」に関し、次の記載がある。
「【０００１】
　本発明は、炊飯器に関する。
【背景技術】
【０００２】
　従来から、保温時のご飯の乾燥を低減するために、内釜内に蒸気を送り込む炊飯器も数多く提案されている。
【０００３】
　このような炊飯器として、特許文献１に示された結露受け皿は、凝結した結露水を溜めるフッ素樹脂をコーティングしたアルミ製の皿部と、この皿部の外蓋回転軸側に垂れる露を回収する樹脂製の露回収穴（回収口）とが設けられ、ご飯を加湿する時は、蓋ヒータを通電して結露水を熱し、結露受け皿に設けた蒸気流通路と結露回収穴から蒸気を内釜へと供給するものである。
【先行技術文献】
【特許文献】
【０００４】
【特許文献１】特開２０１１−２３４９９６号公報
【発明の概要】
【発明が解決しようとする課題】
【０００５】
　上記した従来技術において、特許文献１の結露受け皿の構成は、アルミ製の皿部と樹脂製の結露回収穴からなる部品を組み合わせたものである。
【０００６】
　そのため皿部は、熱容量が小さく熱抵抗の小さいアルミ製のため、炊飯時の内蓋の温度も早い時期に上昇するため、多くの結露水を溜めることができない。
【０００７】
　
本発明の目的は、多くの結露水を溜めて十分な蒸気でご飯を蒸らすことにある。
【課題を解決するための手段】
【０００８】
　本発明は、上記課題を解決するためのものであり、例えば特許請求の範囲に記載された構成を採用する。
【発明の効果】
【０００９】
　
本発明によれば、多くの結露水を溜めて十分な蒸気でご飯を蒸らすことができる。
「【００１２】
　図１は本発明に係る炊飯器の全体斜視図、図２は同
炊飯器の蓋
【００１３】
　図において、
１は炊飯器の本体である。本体１内には内釜４が着脱自在に挿入されている。本体１の上面には、本体１と内釜４の上面開口部を覆う内蓋３を備えた外蓋２が開閉自在に設けられている。
【００１４】
　内蓋３の下面周縁部には、内釜４の上端と密接するパッキン３４が設けられ、内釜４の上部開口を閉塞して密閉している。
・・・
【００１７】
　図３は同炊飯器の側面断面図、図４は同炊飯器の結露受け皿を取り付けた内蓋を外蓋から外した状態の斜視図、図５は図４のＡ−Ａ断面図、図６は同炊飯器の内蓋から外した状態の結露受け皿の内面側の斜視図である。
【００１８】
　内釜４の下面には主加熱手段１４が設けられ、これらは加熱コイルで構成され、これにより内釜４の全面を均等に誘導加熱する。また、
外蓋２の下面には蓋加熱手段１６が設けられ、外蓋２に取り付けられたステンレス板よりなる内蓋３を均等に加熱するように設けられている。
【００１９】
　内蓋３には内釜４内からの蒸気を外部に排出する内蓋蒸気通路１１を有した調圧台１３ｂと、この内蓋蒸気通路１１を閉塞する調圧ボール１３ａからなる調圧手段１３が設けられ、この調圧手段１３から通り抜けた蒸気は、外蓋２に設けられた外蓋蒸気通路１２を経て排気口８から外部に放出される。
【００２０】
　内釜４内部の蒸気圧が所定圧力より高まると、調圧ボール１３ａが持ち上がり圧力が抜けて、外蓋蒸気通路１２から蒸気口８を通して本体１外に排出される。またその圧力が所定圧力より低くなると、再び調圧ボール１３ａが内蓋蒸気通路１１を塞いで蒸気圧が高まる。この繰り返しで内釜４と内蓋３内の圧力が所定圧力に調整される。
【００２１】
　また、この調圧ボール１３ａは、制御部２０からの信号によって動作するソレノイドからなる開放手段１７によって任意に動かされ、内釜４の圧力を自由に調整できる。
・・・
【００２４】
　
内蓋３の下面には結露受け皿２１が着脱自在に取り付けられ、結露受け皿２１はアルミ材より熱容量が大きく熱抵抗の高い樹脂（例えばＳＰＳ樹脂（シンジオタクチックポリスチレン樹脂））からなり、内蓋３の下面をほぼ全面に覆うように取り付けられ、これにより、内蓋３と結露受け皿２１の間には空間２４を形成している。
【００２５】
　
外蓋２に設けられている蓋加熱手段１６は、外蓋２に近接した内蓋３を加熱するとともに、内蓋３を介して結露受け皿２１も加熱する構成となっている。
【００２６】
　
結露受け皿２１は、皿部２１ａと、皿部２１ａの外周に設けられた立ち上げ壁２１ｂと、立ち上げ壁２１ｂの内周壁面に嵌め込まれたシールパッキン２１ｃとで構成されており、シールパッキン２１ｃは立ち上げ壁２１ｂの内周壁面より突出した先端部を、皿部２１ａの中心方向に彎曲させて内蓋３の下面に密着させている。シールパッキン２１ｃの彎曲部には、外蓋２を開けた時に内蓋３と皿部２１ａから滴下する結露水を受けとめるように成形されている。
【００２７】
　
また、結露受け皿２１の皿部２１ａには、略半球体形状で内蓋３側に突出する膨出部２１ｆを複数個設け、膨出部２１ｆの頂点には内釜４内部からの蒸気を流入することができる蒸気孔２１ｅが設けられている。
【００２８】
　
蒸気孔２１ｅの穴位置は、内蓋３に設けられた内蓋蒸気通路１１とは対向しない位置に設ける。これは、蒸気孔２１ｅから流入した蒸気を内蓋３の表面全体に当て、内蓋３表面に結露が付着する構成となっている。
【００２９】
　
更に外蓋２を開けて結露受け皿２１が直立した際に、結露受け皿２１の表面２１ｇ（内釜４側の面）に付着した露が結露受け皿２１の表面２１ｇを流れ、外蓋２を開閉自在に支持するヒンジ軸３４側に寄った位置に設けられた回収口２２から空間２４にある水溜部２１ｄに導かれる。
【００３０】
　
回収口２２は、ご飯をよそう時に外蓋２を開くと、結露受け皿２１の内釜４側の表面２１ｇに付着した露を空間２４内に導き易いように、回収口２２に向かうにつれて空間２４内側に傾斜した斜面部２２ａと、回収口２２からヒンジ軸３５側に結露水を溜める水溜部２１ｄを設けている。そして、回収口２２の周囲には空間２４内に溜まった結露水が内釜４内にこぼれないように、空間２４側に立ち上げた立ち上げ壁２１ｂが設けられている。
【００３１】
　
そして、外蓋２を閉めると水溜部２１ｄに溜まった結露水は、回収口２２の両脇を流れ皿部２１ａ全体に薄く広がり、蓋加熱手段１６によって効率よく加熱される。
【００３２】
　本実施例は以上の構成となり、次に炊飯工程についてその動作を説明する。
【００３３】
　まず使用者が内釜４に適量の米と水を入れ、
外蓋２を閉めると内釜４の上部を内蓋３が塞ぎ、パッキン３４によって密閉した空間となる。
【００３４】
　使用者が操作部３１により炊飯の設定を行うと、制御部２０によって炊飯が開始する。
【００３５】
　制御部２０は主加熱手段１４の通電を制御して内釜４を加熱して炊飯が進行する。このとき蓋加熱手段１６は通電していない。
【００３６】
　制御部２０は、開放手段１７を動作させ、調圧ボール１３ａが調圧弁１３ｂを閉じる。調圧弁１３ｂは内釜４内部が沸騰して蒸気の圧力が高まると、開放して圧力を調整する。
【００３７】
　
内釜４内部が６０℃を超えるころから、湯気（低温の蒸気）が発生し、内釜４の内周面に触れてその温度差によって結露する。結露によって結露受け皿２１の内釜４との対向面は熱をもらうこととなるので、結露受け皿２１の温度は内釜４内部の湯の温度に近い状態で上昇していく。
【００３８】
　
このとき、内蓋３は、結露受け皿２１によりほぼ全面が覆われており、湯気（低温の蒸気）が触れないことと、結露受け皿２１がＳＰＳ樹脂により構成していることにより、結露受け皿２１からの放射熱は受けるものの、結露受け皿２１からの熱伝導が小さく、結露受け皿２１よりも低い温度で推移する。
【００３９】
　
やがて、内釜４内が沸騰すると、蒸気（約１００℃）が発生して圧力が高まり、結露受け皿２１の蒸気孔２１ｅと回収口２２から内蓋３と結露受け皿２１で構成されている空間２４に蒸気が流入する。
【００４０】
　
内釜４内部から発生した蒸気は、外蓋蒸気通路１２から排気口８を通り本体１の外部に放出され、内蓋３には、空間２４内部の蒸気が結露し、垂れた水滴が結露受け皿２１の上面に落ちていく。
【００４１】
　
このとき内蓋３は、結露受け皿２１によりほぼ全面で覆われており、結露受け皿２１のシールパッキン２１ｃを介して当接されているため、結露受け皿２１の熱は内蓋３には伝わらず、温度差が生じることから、内蓋３表面には蒸気孔２１ｅや回収口２２から流入した蒸気が結露し、結露受け皿２１の皿部２１ａに落ちるしくみとなっている。加えて内蓋３は温まりにくく、かつ蓋加熱手段１６は加熱動作をしていないので、内蓋３に触れた蒸気は放熱され、内蓋３に継続的に結露して水滴化し、結露受け皿２１に溜まっていく。
【００４２】
　
更に結露受け皿２１の皿部２１ａに有する蒸気孔２１ｅは、内蓋蒸気通路１１に対向しない位置にあり、かつ略半球体形状で内蓋３側に突出する膨出部２１ｆの頂点にあることから、水滴は内釜４に落ちず、結露受け皿２１の皿部２１ｅに溜まる。
【００４３】
　本発明では結露受け皿２１にＳＰＳ樹脂を使用した。ＳＰＳ樹脂は従来技術であるアルミ板の材料よりも熱抵抗が高いため、内釜４内部から発生する熱を受け取った結露受け皿２１は、内蓋３側への熱伝動がより小さくなる。これにより、内蓋３と結露受け皿２１との温度差が大きく長く維持でき、長く蒸気を結露化することが可能となり、従来技術で使用したアルミ材と比較し結露水が多くなる。
【００４４】
　
炊飯がさらに進行し、内釜４内部の水がなくなると、蒸らしの工程に移行する。
制御部２０は蓋加熱手段１６に通電し、内釜４に対向する内蓋３を加熱する。内蓋３の熱により、結露受け皿２１の皿部２１ｅに広がって溜った結露水が効率よく加熱され蒸気化して、蒸気孔１２ｅと回収口２２から内釜４の内部へと放出される。これにより十分な蒸気でご飯を蒸らし、ご飯を美味しく仕上げることができる。
【００４５】
　
蒸らし工程が終了すると炊飯が終了し、制御部２０は保温の制御を開始する。
蓋加熱手段１６に間欠的に通電することで、ご飯を７４℃程度に保つものである。保温中においても、結露受け皿２１に溜まった結露水が加熱され、緩やかに蒸気を発生する。保温中にご飯を食するために外蓋２を開けた場合には、内釜４内部の空気が乾燥した外気と入れ替わるが、外蓋２を閉めると緩やかに発生している蒸気によって加湿され、ご飯から水分を奪って乾燥しないようにすることが出来る。
【００４６】
　
蒸らし時や保湿時における結露受け皿２１の加熱は、蓋加熱手段１６によって結露受け皿２１に溜まった結露水を加熱して気化する。
【００４７】
　このため、保温時に必要とする温度を得るために、蓋加熱手段１６をＯＮ／ＯＦＦによる通電制御により平均温度を得た場合でも、ＳＰＳ樹脂からなる結露受け皿２１の温度変化は緩慢となり、蓋加熱手段１６をＯＮ／ＯＦＦ通電した時の蓋加熱手段１６の温度変化に対して、結露受け皿２１の温度変化の幅は小さくなり平均温度とピーク温度との差が小さくなる。その結果、保温時のご飯の温度変化の幅も小さくなり、更にご飯の乾燥を少なくした保温が可能となり、更に美味しくご飯を保温できる炊飯器が提供できる。
【００４８】
　また、結露受け皿２１の材料をＳＰＳ樹脂にしたことから、結露水を多く溜められるようになり、保温時に蒸気を長時間内釜のご飯に与えることができ、保湿性能の向上が図れ、更にご飯を美味しく保温が可能となる。
【００４９】
　さらに、結露受け皿２１の材料をＳＰＳ樹脂で構成し、内蓋３と結露受け皿２１の間には空間２４を形成し、結露受け皿２１の表面２１ｇが内釜４の上端面より下方（内側）に潜り込んでいることから、内釜４内の保温性能が向上し、保温時の蓋加熱手段１６への通電率が小さくなり、省エネやご飯の乾燥を更に少なくすることが図れた。
【００５０】
　炊飯が終了すると、使用者はご飯を食べるために外蓋２を開く。結露受け皿２１の表面には、内釜４に対向する面は露が生じているため、外蓋２を開いくと結露受け皿２１の表面２１ｇに付着していた露は下方に流れ、露は傾斜部２２ａに添って流れ回収口２２から水溜部２１ｄへと流れる。
【００５１】
　また、結露受け皿２１の前記露の生じる表面２１ｇには、格子状の粗目処理（図無し）としたので、結露受け皿２１の表面２１ｇと、該表面２１ｇに付着した露との表面張力を減らして撥水性を良くし、露を回収口２１へと流れやすくしている。
【００５２】
　また、結露受け皿２１の回収口２２部と皿部２１ａとが樹脂で一体成形したことから、継ぎ目や段差が無くなり、結露受け皿２１の表面２１ｇに付着した露は回収口２２へとスムーズに流れる。このことから内釜４内部のご飯に水滴が垂れたり、結露受け皿２１部の土手部２２ｂを乗り越えて、床面に水滴がこぼれる心配はない。
【００５３】
　使用後は内釜４、内蓋３、結露受け皿２１を本体１、および外蓋２から外して清掃する場合でも、結露受け皿２１には部品の接合による段差や継ぎ目がないことから、清掃性が良好である。
【００５４】
　加えて、結露受け皿２１の部品点数が少なく、またＳＰＳ樹脂により一体成型したことから、従来行っていたフッ素樹脂コーティングも不要となり環境に配慮した構成している。
【００５５】
　上記した本実施例によれば、ご飯の保温特性を更に向上することができる。」
「
」
（２）上記（１）から認められること
ア　上記（１）（特に、段落０００１、００１２及び００１３並びに図１〜６の記載）によれば、先願明細書等には、本体１と、該本体１上に設けられた蓋とから構成された炊飯器が記載されていることが認められる。
イ　上記（１）（特に、段落００１３及び００３３並びに図３の記載）によれば、炊飯器は、本体１内に内釜４が着脱自在に挿入され、蓋を閉めると、前記内釜４内の密閉した空間が構成されることが認められる。
ウ　上記（１）（特に、段落００１３並びに図２及び３の記載）によれば、蓋は、内蓋３を備えた外蓋２を含むことが認められる。
エ　上記（１）（特に、段落００２４及び００２７並びに図２及び４〜６の記載）によれば、蓋は、内蓋３の下面に着脱自在に取り付けられ、蒸気孔２１ｅが形成される結露受け皿２１を含むことが認められる。
オ　上記エによると、結露受け皿２１が内蓋３の下面に取り付けられるから、内蓋３は外蓋２に対して、結露受け皿２１に向く側に設けられるものといえ、また、上記（１）の段落００１８には、内蓋３がステンレス板よりなることが記載されていることを合わせてみると、蓋は、内蓋３を備えた外蓋２における結露受け皿２１に向く側に設けられるステンレス板よりなる前記内蓋３を含むことが認められる。
カ　上記（１）（特に、段落００２４〜００３１、００３７〜００４２及び００４４〜００４６並びに図５及び６の記載）によれば、蓋は、内蓋３と結露受け皿２１との間に設けられ、前記内蓋３と前記結露受け皿２１と共に、蒸気孔２１ｅから蒸気が流入し、結露水が溜まり、前記結露水が加熱されて発生した蒸気を、前記蒸気孔２１ｅから前記内釜４内の前記密閉した空間内に供給するための空間２４を構成するシールパッキン２１ｃを含むことが認められる。
キ　上記（１）（特に、段落００１８及び００２５並びに図３の記載）によれば、蓋は、外蓋２に設けられ、内蓋３を加熱すると共に、前記内蓋３を介して結露受け皿２１も加熱する蓋加熱手段１６を含むことが認められる。
ク　上記（１）（特に、段落００１２、００１３及び００２４並びに図２の記載）によれば、炊飯器において、内蓋３を備えた外蓋２の内側には、前記結露受け皿２１の外周縁部を収容する円弧状の退避空間が設けられることが認められる。
　ここで、円弧状の退避空間については、図２において、矢印を追加して示したとおり、外蓋２の左右の内側面に存在することが看取できる。
ケ　上記（１）（特に、段落００２５、００２７、００３３、００４２及び００４４〜００４６並びに図２〜６の記載）によれば、炊飯器は、空間２４内の蒸気が、蓋加熱手段１６によって加熱されることによって、蒸気孔２１ｅを通って内釜４内の密閉した空間に放出されるように構成されることが認められる。
コ　上記（１）（特に、段落００２７、００２８及び００４２並びに図２〜６の記載）によれば、炊飯器において、結露受け皿２１には、略半円形状の凸部が形成され、前記凸部は、前記結露受け皿２１の外面から内釜４の方向に突出しており、前記凸部には、略半円形状の外周に沿って、前記内蓋３の方向に凹んだ複数の膨出部２１ｆが形成され、前記膨出部２１ｆは略半球体形状であり、前記膨出部２１ｆの頂点には前記蒸気孔２１ｅが形成されていることが認められる。
　ここで、結露受け皿２１には、略半円形状の凸部が形成され、前記凸部は、前記結露受け皿２１の外面から内釜４の方向に突出しており、前記凸部には、略半円形状の外周に沿って、前記内蓋３の方向に凹んだ複数の膨出部２１ｆが形成されることについては、図２及び４における結露受け皿２１の記載から看取できる。
（３）先願発明
　上記（１）及び（２）を総合すると、先願明細書等には、次の事項からなる発明（以下「先願発明」という。）が記載されていると認める。
「本体１と、前記本体１上に設けられた蓋とから構成された炊飯器であって、
　前記本体１内に内釜４が着脱自在に挿入され、前記蓋を閉めると、前記内釜４内の密閉した空間が構成されており、
　前記蓋は、
　内蓋３を備えた外蓋２と、
　前記内蓋３の下面に着脱自在に取り付けられ、蒸気孔２１ｅが形成される結露受け皿２１と、
　前記内蓋３を備えた前記外蓋２における前記結露受け皿２１に向く側に設けられるステンレス板よりなる前記内蓋３と、
　前記内蓋３と前記結露受け皿２１との間に設けられ、前記内蓋３と前記結露受け皿２１と共に、前記蒸気孔２１ｅから蒸気が流入し、結露水が溜まり、前記結露水が加熱されて発生した蒸気を、前記蒸気孔２１ｅから前記内釜４内の前記密閉した空間内に供給するための空間２４を構成するシールパッキン２１ｃと、
　前記外蓋２に設けられ、前記内蓋３を加熱すると共に、前記内蓋３を介して前記結露受け皿２１も加熱する蓋加熱手段１６と、を含み、
　前記内蓋３を備えた前記外蓋２の内側には、前記結露受け皿２１の外周縁部を収容する円弧状の退避空間が設けられ、
　前記空間２４内の蒸気が、前記蓋加熱手段１６によって加熱されることによって、前記蒸気孔２１ｅを通って前記内釜４内の前記密閉した空間に放出されるように構成されており、
　前記結露受け皿２１には、略半円形状の凸部が形成され、前記凸部は、前記結露受け皿２１の外面から内釜４の方向に突出しており、前記凸部には、略半円形状の外周に沿って、前記内蓋３の方向に凹んだ複数の膨出部２１ｆが形成され、前記膨出部２１ｆは略半球体形状であり、前記膨出部２１ｆの頂点には前記蒸気孔２１ｅが形成されている炊飯器。」
２　対比
　本願発明と先願発明とを、その機能、構造又は技術的意義を考慮して対比する。
・後者の「本体１」は、前者の「炊飯器本体(100)」に相当し、同様に、「蓋」は「蓋体ユニット(200)」に、「炊飯器」は「炊飯器」に、「内釜４内の密閉した空間」は「調理室(1001)」に、「内蓋３を備えた外蓋２」は「蓋体（1）」に、「蒸気孔２１ｅ」は「貫通するベントホール（221）」に、「略半円形状の凸部」は「略半円形状の凸部（21）」に、「膨出部２１ｆ」は「凹部（22）」に、それぞれ相当する。
・後者の「前記本体１内に内釜４が着脱自在に挿入され、前記蓋を閉めると、前記内釜４内の密閉した空間が構成されており」との態様は、本体１と閉められた蓋により内釜４内の密閉した空間が構成されるから、前者の「前記炊飯器本体(100)と前記蓋体ユニット(200)とから調理室(1001)が構成されており」との態様に相当する。
・後者の「前記内蓋３の下面に着脱自在に取り付けられ、蒸気孔２１ｅが形成される結露受け皿２１」は、結露受け皿２１が内蓋３を備えた外蓋２の内側に設けられたものといえるから、前者の「前記蓋体（1）の内側に設けられ、貫通するベントホール（221）が形成される蓋プレート（2）」に相当する。
・後者の「前記内蓋３を備えた前記外蓋２における前記結露受け皿２１に向く側に設けられるステンレス板よりなる前記内蓋３」は、外蓋２に設けられた蓋加熱手段１６により加熱され、空間２４内の結露水を加熱する機能を有するから、前者の「前記蓋体（1）における前記蓋プレート（2）に向く側に設けられる保温板（12）」に相当する。
・後者の「前記蒸気孔２１ｅから蒸気が流入し、結露水が溜まり、前記結露水が加熱されて発生した蒸気を、前記蒸気孔２１ｅから前記内釜４内の前記密閉した空間内に供給するための空間２４」は、蒸気孔２１ｅと連通し、蒸気を回収、再利用するものといえるから、前者の「前記ベントホール（221）と連通する、蒸気を回収、再利用するための収容キャビティ（201）」に相当する。
　そして、後者の「前記内蓋３と前記結露受け皿２１との間に設けられ、前記内蓋３と前記結露受け皿２１と共に、前記蒸気孔２１ｅから蒸気が流入し、結露水が溜まり、前記結露水が加熱されて発生した蒸気を、前記蒸気孔２１ｅから前記内釜４内の前記密閉した空間内に供給するための空間２４を構成するシールパッキン２１ｃ」は、前者の「前記保温板（12）と前記蓋プレート（2）との間に設けられ、前記保温板（12）及び前記蓋プレート（2）と共に、前記ベントホール（221）と連通する、蒸気を回収、再利用するための収容キャビティ（201）を区画する密封ユニット（3）」に相当する。
・後者の「前記外蓋２に設けられ、前記内蓋３を加熱すると共に、前記内蓋３を介して前記結露受け皿２１も加熱する蓋加熱手段１６」は、外蓋２が蓋に含まれており、蓋に設けられたものといえ、また、空間２４を構成する内蓋３を加熱するものであり、空間２４に接して配置されたものといえるから、前者の「前記蓋体ユニット（200）に設けられ、前記収容キャビティ(201)を加熱する為に、前記収容キャビティ(201)に接して配置された発熱素子（4）」に相当する。
・後者の「前記内蓋３を備えた前記外蓋２の内側には、前記結露受け皿２１の外周縁部を収容する円弧状の退避空間が設けられ」た態様は、前者の「前記蓋体（1）の内側には、前記蓋プレート（2）の外周縁部を収容する円弧状の退避空間が設けられ」た態様に相当する。
・後者の「前記空間２４内の蒸気が、前記蓋加熱手段１６によって加熱されることによって、前記蒸気孔２１ｅを通って前記内釜４内の前記密閉した空間に放出されるように構成されており」との態様は、前者の「前記収容キャビティ(201)内の蒸気が、前記発熱素子（4）によって加熱されることによって、前記ベントホール(221)を通って調理室(1001)に戻るように構成されており」との態様に相当する。
・後者の「前記膨出部２１ｆは略半球体形状であり」との態様は、その形状からみて膨出部２１ｆが側壁と底壁とからなるものものであり、底壁に「前記膨出部２１ｆの頂点」が位置するものといえる。
　そうすると、後者の「前記膨出部２１ｆは略半球体形状であり、前記膨出部２１ｆの頂点には前記蒸気孔２１ｅが形成されている」態様は、前者の「前記凹部（22）は側壁と底壁とからなり、前記凹部（22）の底壁にはベントホール（221）が形成されている」態様に相当する。
　そして、後者の「前記結露受け皿２１には、略半円形状の凸部が形成され、前記凸部は、前記結露受け皿２１の外面から内釜４の方向に突出しており、前記凸部には、略半円形状の外周に沿って、前記内蓋３の方向に凹んだ複数の膨出部２１ｆが形成され、前記膨出部２１ｆは略半球体形状であり、前記膨出部２１ｆの頂点には前記蒸気孔２１ｅが形成されている」態様は、前者の「前記蓋プレート（2）には、略半円形状の凸部（21）が形成され、前記凸部（21）は、前記蓋プレート（2）の外面から内面の方向に突出しており、前記凸部（21）には、略半円形状の外周に沿って、前記保温板（12）の方向に凹んだ複数の凹部（22）が形成され、前記凹部（22）は側壁と底壁とからなり、前記凹部（22）の底壁にはベントホール（221）が形成されている」態様に相当する。
　したがって、両者は次の点で一致し、相違点は認められない。
［一致点］
「炊飯器本体と、前記炊飯器本体上に設けられた蓋体ユニットとから構成された炊飯器であって、
　前記炊飯器本体と前記蓋体ユニットとから調理室が構成されており、
　前記蓋体ユニットは、
　蓋体と、
　前記蓋体の内側に設けられ、貫通するベントホールが形成される蓋プレートと、
　前記蓋体における前記蓋プレートに向く側に設けられる保温板と、
　前記保温板と前記蓋プレートとの間に設けられ、前記保温板及び前記蓋プレートと共に、前記ベントホールと連通する、蒸気を回収、再利用するための収容キャビティを区画する密封ユニットと、
　前記蓋体ユニットに設けられ、前記収容キャビティを加熱する為に、前記収容キャビティに接して配置された発熱素子と、を含み、
　前記蓋体の内側には、前記蓋プレートの外周縁部を収容する円弧状の退避空間が設けられ、
　前記収容キャビティ内の蒸気が、前記発熱素子によって加熱されることによって、前記ベントホールを通って調理室に戻るように構成されており、
　前記蓋プレートには、略半円形状の凸部が形成され、前記凸部は、前記蓋プレートの外面から内面の方向に突出しており、前記凸部には、略半円形状の外周に沿って、前記保温板の方向に凹んだ複数の凹部が形成され、前記凹部は側壁と底壁とからなり、前記凹部の底壁にはベントホールが形成されている炊飯器。」
３　判断
　上記２の検討によれば、本願発明と先願発明との間に構成上の相違は認められない。
　したがって、本願発明は、先願発明と同一である。
４　請求人の主張について
　請求人は、令和２年６月８日に提出された意見書において、「５．理由２（拡大先願）について
　ご指摘の先願発明（引用文献４（特開２０１５−２２１１１８号公報））には、図２に示すように、外蓋２における、回転軸付近の内側面が「平坦」であり、本願のような「円弧状の退避空間」に相当するものは開示されておりません。
　したがって、「円弧状の退避空間」がない引用文献４と、「円弧状の退避空間」がある本願発明とは相違します。本願発明の補正により、特許法第２９条の２違反は解消されたものと思料致します。」という主張をする。
　しかしながら、本願発明において、「円弧状の退避空間」が、外蓋２における、回転軸付近の内側面に形成されたものであることは特定されておらず、上記１（２）クで述べたところの外蓋２の左右の内側面に形成された「円弧状の退避空間」を除外するものとはいえないから、請求人の上記主張は採用することができない。
５　まとめ
　したがって、本願発明は、先願の先願明細書等に記載された先願発明と同一であるから、特許法第２９条の２の規定により特許を受けることができない。
第６　むすび
　以上のとおり、本願発明は、特許法第２９条第２項の規定又は同法第２９条の２の規定により特許を受けることができないから、他の請求項に係る発明について検討するまでもなく、本願は拒絶すべきものである。
　よって、結論のとおり審決する。